(57)【特許請求の範囲】
【請求項１】
電線が巻き回されてなるコイル部と、
金属材料によって構成されると共に前記コイル部を少なくとも部分的に囲む構成で配される金属板と、
少なくとも一端側がコイル部内に挿入される挿入位置と、前記挿入位置のときよりも他端側が突出する突出位置とで変位するように保持されたプランジャと、
前記プランジャを前記突出位置側に付勢する付勢部材と、
裏面が前記金属板の外壁面に接触した形態で前記金属板の外壁面上に直接的に積層される一又は複数の絶縁層と、
前記絶縁層内又は前記絶縁層上に配される導電部と、
一又は複数の前記絶縁層における前記金属板側とは反対の表面側に実装される電子部品と、
を備えたことを特徴とするソレノイド。
【請求項２】
前記金属板は、
前記コイル部の外周面に対向する一対の側壁部と、
前記プランジャの突出側において前記一対の側壁部に連結された形態で配される前壁部と、
前記コイル部を挟んで前記前壁部と対向すると共に前記一対の側壁部に連結された形態で配される後壁部とを備えており、
前記絶縁層は、前記側壁部の外壁面上に配されていることを特徴とする請求項１に記載のソレノイド。
【請求項３】
電線が巻き回されてなるコイル部と、金属材料によって構成されると共に前記コイル部を少なくとも部分的に囲む構成で配される金属板と、少なくとも一端側がコイル部内に挿入される挿入位置と、前記挿入位置のときよりも他端側が突出する突出位置とで変位するように保持されたプランジャと、前記プランジャを前記突出位置側に付勢する付勢部材と、前記金属板の外壁面上に配される一又は複数の絶縁層と、前記絶縁層内又は前記絶縁層上に配される導電部と、表面側に実装される電子部品と、を備えたソレノイドと、
前記ソレノイドを保持するフレームと、
前記ソレノイドに駆動される被駆動機構と、
を備え、
前記フレームには、前記金属板の前記外壁面を直接又は他部材を介して間接的に支持すると共に貫通孔又は切欠部が形成されてなる支持壁が設けられ、
前記ソレノイドは、前記電子部品の少なくとも一部が前記貫通孔内又は前記切欠部内に挿入された形態で前記フレームに保持されており、
前記支持壁に対し前記ソレノイドとは反対側から前記電子部品又は前記導電部に対し電気配線が接続されていることを特徴とする遊技機用部品。
【請求項４】
前記電子部品として少なくともコネクタが設けられており、
前記コネクタは、前記貫通孔内又は前記切欠部内を通され且つ前記支持壁から突出した形態で配されていることを特徴とする請求項３に記載の遊技機用部品。
【請求項５】
前記電子部品として少なくとも発光素子が設けられていることを特徴とする請求項３又は４に記載の遊技機用部品。
【請求項６】
請求項１、２のいずれか一項に記載のソレノイド、又は、請求項３から５のいずれか一項に記載の遊技機用部品を備えたことを特徴とする遊技機。
【発明の詳細な説明】
【技術分野】
【０００１】
本発明は、ソレノイド、遊技機用部品、及び遊技機に関するものである。
【背景技術】
【０００２】
アタッカーや役物等の遊技機用部品などでは、様々な機能部品が用いられており、例えばソレノイドによって特定部分を駆動したり、或いはスライドレールなどにより、特定部分をスライド動作可能に保持したりしている。この種の機能部品では、小型化、高機能化が求められており、このような課題に関連する技術としては、特許文献１、２のようなものが提供されている。
【０００３】
特許文献１で開示されるソレノイド装置１００では、コイル１０１、スプール１１０、第１ヨーク片１２０及び第２ヨーク片１３０からなるソレノイド本体に対して、コネクタ１６０を実装した基板１５０が取り付けられており、さらにカバー１８０が装着されている。そして、カバー１８０には開口１８２が設けられ、コネクタ１６０が露出するようになっており、係合フック１８３がヨークに係合することによって基板１５０を保持するように構成されている。
【０００４】
また、特許文献２で開示されるステッピングモータ１では、軸方向上側に突出した複数の極歯４１及びこれらの極歯４１と逆向きに突設された複数の極歯４３を有する環状の極歯ヨーク４０と、基板５０と、環状のタップレスコイル６０，６１とが設けられている。
そして、極歯ヨーク４０が基板５０の中心孔５２に挿入され、タップレスコイル６０，６１が、極歯ヨーク４０の極歯４１，４３に嵌め込まれた状態で、基板５０の両面に電気的接続状態で取り付けられている。更に、基板５０は、ドーナツ状のコイル取付部５１から外側に延びた形態で配線部５３が設けられており、この配線部５３に駆動用ＩＣ５５などが実装されている。
【先行技術文献】
【特許文献】
【０００５】
【特許文献１】特許第４０６４０７６号公報
【特許文献２】特開平７−３１１２４号公報
【発明の概要】
【発明が解決しようとする課題】
【０００６】
上記のような機能部品では、より一層の高機能化が求められる一方で、それに伴う大型化を極力抑えたいという要望もある。上記特許文献１、２では、このような要望に対する対策が不十分であり、より小型化を図りうる構成が求められている。
【０００７】
例えば特許文献１の技術では、通常のソレノイドの構成に加え、ヨーク片に架け渡される形態で回路基板１５０やカバー１８０が設けられ、このような構成によって高機能化を図っているが、このようにヨーク片に対して別途回路基板１５０やカバー１８０を取り付けるようにすると、部品点数の増加が避けられず、その部分がかなり大型化してしまうことになる。
【０００８】
また、特許文献２の構成では、ドーナツ状のコイル取付部５１と延出構造の配線部５３とを備えた配線中継基板５０をカール極歯ヨーク４０に取り付けて一体化し、駆動用ＩＣ５５を一体化してなるステッピングモータを実現しているが、この構造では、駆動用ＩＣ５５等を保持するために専用の配線部５３（延出部分）を設けなければならず、部品構成の大型化が避けられない。特に、配線部５３は、駆動用ＩＣ５５を保持するために適度な剛性、強度を有する必要があるため、厚さや長さが相当大きくなってしまう。また、このように専用の配線部５３を延出構造で配置すると、特定部分での飛び出し量が大きくなるため、他部材と干渉しやすくなり、設計的自由度の抑制、他部材の配置スペースの減少につながりやすくなる。
【０００９】
本発明は、上述した課題を解決するためになされたものであり、ソレノイドに電子回路部としての機能をもたせて高機能化を図ることができ、かつ高機能化に起因する大型化を効果的に抑えることが可能な構成を提供することを目的とする。
【課題を解決するための手段】
【００１０】
上記課題を解決するために、本発明のソレノイドは、
電線が巻き回されてなるコイル部と、
金属材料によって構成されると共に前記コイル部を少なくとも部分的に囲む構成で配される金属板と、
少なくとも一端側がコイル部内に挿入される挿入位置と、前記挿入位置のときよりも他端側が突出する突出位置とで変位するように保持されたプランジャと、
前記プランジャを前記突出位置側に付勢する付勢部材と、
裏面が前記金属板の外壁面に接触した形態で前記金属板の外壁面上に直接的に積層される一又は複数の絶縁層と、
前記絶縁層内又は前記絶縁層上に配される導電部と、
一又は複数の前記絶縁層における前記金属板側とは反対の表面側に実装される電子部品と、
を備えたことを特徴とする。
【発明の効果】
【００１２】
本発明のソレノイドによれば、ソレノイドとしての基本的な機能に加え、金属板の部分に回路部としての機能をもたせて高機能化を図ることができる。また、金属板の部分に直接的に絶縁層を積層すると共に導電部を配し、このような積層部分に電子部品を実装しているため、別途基板を用意する構成と比較して厚さの抑制及び部品数の抑制を図りやすく、小型化を図る上でより有利となる。更に、熱伝導性の良い金属板に電子部品を実装しているため、電子部品で発生した熱が金属板を介して放散しやすくなる。つまり、コイル部で発生した熱だけでなく、電子部品や導電部で発生した熱についても金属板によって外部に放散させることができ、コンパクト化且つ高機能化を図りつつ放熱性に優れた構成を実現できる。
【００１３】
本発明において、前記金属板は、前記コイル部の外周面に対向する一対の側壁部と、
前記プランジャの突出側において前記一対の側壁部に連結された形態で配される前壁部と、前記コイル部を挟んで前記前壁部と対向すると共に前記一対の側壁部に連結された形態で配される後壁部とを備えており、前記絶縁層は、前記側壁部の外壁面上に配されていてもよい。
【００１４】
このようにコイル部を環状に囲むように金属板を配することで、コイル部の熱を良好に放散させ得る構造を実現しつつ、このような金属板において、コイル部の外周面に対向して配される部分（詳しくは側壁部の外壁面上）に絶縁層を積層し、導電部及び電子部品を設けることで、高い放熱機能を基板においても利用することができる。特に、導電部及び電子部品で発生した熱が、絶縁層付近だけでなく、コイル部を取り囲む他の壁部からも放散することになるため、回路部の放熱性を一層高めることができる。
【００１５】
本発明の遊技機用部品は、電線が巻き回されてなるコイル部と、金属材料によって構成されると共に前記コイル部を少なくとも部分的に囲む構成で配される金属板と、少なくとも一端側がコイル部内に挿入される挿入位置と、前記挿入位置のときよりも他端側が突出する突出位置とで変位するように保持されたプランジャと、前記プランジャを前記突出位置側に付勢する付勢部材と、前記金属板の外壁面上に配される一又は複数の絶縁層と、前記絶縁層内又は前記絶縁層上に配される導電部と、表面側に実装される電子部品と、を備えたソレノイドと、
前記ソレノイドを保持するフレームと、
前記ソレノイドに駆動される被駆動機構と、
を備え、
前記フレームには、前記金属板の前記外壁面を直接又は他部材を介して間接的に支持すると共に貫通孔又は切欠部が形成されてなる支持壁が設けられ、
前記ソレノイドは、前記電子部品の少なくとも一部が前記貫通孔内又は前記切欠部内に挿入された形態で前記フレームに保持されており、
前記支持壁に対し前記ソレノイドとは反対側から前記電子部品又は前記導電部に対し電気配線が接続されていることを特徴とする。
【００１６】
上記遊技機用部品によれば、一般的に支持壁に支持されてデットスペースとなりやすい部分（ソレノイドの金属板における支持壁に支持される部分）を回路部として有効利用することができ、よりコンパクトな構成にて高機能化を図ることができる。
【００２２】
本発明の遊技機用部品は、前記電子部品として少なくともコネクタが設けられており、前記コネクタは、前記貫通孔内又は前記切欠部内を通され且つ前記支持壁から突出した形態で配されていてもよい。
このようにすると、支持壁に支持されてデットスペースとなりやすい部分において回路部としての付加し、更にこの回路部に対して支持壁の裏側から外部配線を結合しやすくなる。
【００２３】
本発明の遊技機用部品は、前記電子部品として少なくとも発光素子が設けられていてもよい。
このようにすると、支持壁に支持されてデットスペースとなりやすい部分において回路部として付加し、且つこの部分を装飾部としても兼用することができる。
【００２４】
本発明の遊技機は、上記ソレノイド、又は上記遊技機用部品を備えたことを特徴とする。
本発明の遊技機によれば、上記ソレノイド、又は上記遊技機用部品と同様の効果を奏することができる。
【図面の簡単な説明】
【００２５】
【図１】図１は、本発明の第１実施形態に係るソレノイド及び遊技機用部品を用いた遊技機を概略的に例示する正面図である。
【図２】図２は、第１実施形態に係る遊技機用部品を斜め下方側から見た斜視図である。
【図３】図３（Ａ）は、図２の遊技機用部品の正面図であり、図３（Ｂ）は、その底面図である。
【図４】図４は、図２の遊技機用部品の分解斜視図である。
【図５】図５（Ａ）は、第１実施形態に係るソレノイドを斜め上方側から見た斜視図であり、図５（Ｂ）は、そのソレノイドを斜め下方側から見た斜視図である。
【図６】図６（Ａ）は、図５のソレノイドの側面図であり、図６（Ｂ）はそのソレノイドの底面図であり、図６（Ｃ）は、そのソレノイドの正面図である。
【図７】図７は、回路部の製造方法を概念的に説明する説明図である。
【図８】図８は、図７に続く説明図である。
【図９】図９（Ａ）は、参考例に係る遊技機用部品（遊技機用役物）の一部を概略的に示す正面図であり、図９（Ｂ）はその背面図である。
【図１０】図１０（Ａ）は、図９の遊技機用部品（遊技機用役物）の一部について、スライドレールが短く収まった状態を示す正面図であり、図１０（Ｂ）はその背面図である。
【図１１】図１１（Ａ）は、図１０（Ａ）からカバー部材を取り外した構成を示す正面図であり、図１１（Ｂ）はその背面図である。
【図１２】図１２（Ａ）は、図９の遊技機用部品に用いられるスライドレールを斜め前方側から見た斜視図であり、図１２（Ｂ）はそのスライドレールを斜め後方側から見た斜視図である。
【図１３】図１３は、図１２のスライドレールが延びた状態を斜め前方側から見た斜視図である。
【図１４】図１４（Ａ）は、図１２のスライドレールの平面図であり、図１４（Ｂ）はそのスライドレールの正面図であり、図１４（Ｃ）は、そのスライドレールの裏面図であり、図１４（Ｄ）は、そのスライドレールの背面図である。
【図１５】図１５（Ａ）は、図１２のスライドレールの左側面図であり、図１５（Ｂ）はそのスライドレールの右側面図である。
【発明を実施するための形態】
【００２６】
[第１実施形態]
以下、本発明に具現化した第１実施形態について、図面を参照して説明する。なお、図１は、第１実施形態に係るソレノイド及び遊技機用部品を備えた遊技機を例示する正面図であり、まず、図１を参照して遊技機１の構成を概説する。
【００２７】
（遊技機の構成）
図１に示す遊技機１は、いわゆるパチンコ機として構成されており、遊技者側に配される前面枠２に形成された窓部４に透明板（ガラス板等）が配置され、遊技者が、透明板を介して後方の遊技領域５ａを視認できるように構成されている。また、透明板の後方（奥側）には、遊技盤５が配置され、この遊技盤上にガイドレール等によって区画された遊技領域５ａ（遊技球が流下可能な領域）が形成されている。この遊技領域５ａにおいて、中央付近には表示装置３が設けられ、表示装置３の下方には、始動口６が設けられている。更に、始動口６の下方には、アタッカーとして構成される入賞装置１０が設けられている。
また、遊技領域５ａの下方側には、遊技球を受ける遊技球受皿７が形成されており、この遊技球受皿７の右側下方には発射ハンドルとして構成される操作装置９が設けられている。  
【００２８】
（入賞装置の構成）
次に、第１実施形態に係る遊技機用部品（入賞装置）及びソレノイドについて説明する。
入賞装置１０は、図２、図３に示すような外観をなしており、図４に示すような部品構成となっている。この入賞装置１０は、主として、アクチュエータとしてのソレノイド２０と、このソレノイド２０を保持するフレーム５０と、ソレノイド２０に駆動される被駆動機構７０と、入賞球を検知する検知センサ９０とによって構成されている。
【００２９】
なお、本明細書では、遊技盤５の前面（盤面）と直交する方向を前後方向とし、遊技盤５の前面（盤面）に対し遊技者が位置するべき側を前方側、それとは反対側（即ち、遊技機１奥側）を後方側とする。また、遊技領域５ａを遊技球が流下する方向（鉛直方向）を上下方向とする。また、上記「前後方向」及び「上下方向」と直交する方向を左右方向とし、遊技機前方側から見て左側を左方向、右側を右方向とする。
【００３０】
図４に示すように、フレーム５０は、ソレノイド２０の金属板２２を下方側から支持する下方フレーム５２と、ソレノイド２０の上方を覆う上方フレーム５１と、これら上方フレーム５１及び下方フレーム５２の前方側に連結される前方フレーム５３とを備えており、これら上方フレーム５１、下方フレーム５２、前方フレーム５３のいずれも樹脂材料によって構成されている。
【００３１】
前方フレーム５３は、全体として長手状かつ板状に構成されると共に遊技盤５の盤面に沿って配されるようになっており、左右方向に長く延びる構成で開口部５３ａが形成されている。そして、この開口部５３ａが大入賞口として機能するようになっている。
【００３２】
上方フレーム５１は、前方フレーム５３の開口部５３ａに隣接して配される流路上方部６１を備えている。また、下方フレーム５２は、流路上方部６１の下方側に配される流路下方部６２を備えており、流路上方部６１と流路下方部６２とによって開口部５３ａに連通する形態で遊技球を流下させるための内部流路が構成されている。流路上方部６１は、内部流路の上壁（天井側）及び側壁を構成し、流路下方部６２は、内部流路の下壁（底側）を構成しており、流路下方部６２の所定位置に、上下に貫通する形態で孔部６２ａ、６２ｂが形成されている。
【００３３】
そして、この孔部６２ａ、６２ｂにそれぞれ嵌り込む形態で一対の検知センサ９０，９０が配されており、検知センサ９０，９０の下方側を支持する構成で支持プレート５４が固定されている。この構成では、後述する開閉部材７３が開放位置となっているときに開口部５３ａを介して遊技球が内部流路に侵入可能となり、内部流路を流れる遊技球は検知センサ９０，９０にそれぞれ形成された検知孔９０ａ，９０ａを通って外部に落下しうるようになっている。また、下方フレーム５２には、基板５５が固定されており、この基板５５上には図示しない発光素子等が実装されている。
【００３４】
また、上方フレーム５１には、ソレノイド２０の上方側を覆う上方被覆部６３が設けられ、下方フレーム５２には、ソレノイド２０の下方側を覆う下方被覆部６４が設けられており、これら上方被覆部６３と下方被覆部６４とによってソレノイド２０を収容する収容部が構成されている。上方被覆部６３は、この収容部の上壁（天井側）及び側壁を構成し、下方被覆部６４は、収容部の下壁（底側）を構成しており、ソレノイド２０における金属板２２の一方の側壁部２２ｃが上方被覆部６３の上壁６３ａによって押さえられ、もう一方の側壁部２２ｄの下方側が下方被覆部６４に設けられた支持壁５６によって支持されるようになっている。
【００３５】
次に、ソレノイド２０について詳述する。
図５、図６に示すように、ソレノイド２０は、電線が巻き回されてなる中空筒状のコイル部２１と、金属材料によって構成されると共にコイル部２１を少なくとも部分的に囲む構成で配される金属板２２と、軸状に構成されると共に少なくとも一端側がコイル部２１内に挿入される挿入位置と、この挿入位置のときよりも他端側が突出する突出位置とで変位するように保持されたプランジャ２３と、プランジャ２３を突出位置側に付勢するばね部材２４と、金属板２２の外壁部に配される回路部３０とを備えている。
【００３６】
コイル部２１は、図示しない駆動回路によって通電可能に構成され、電線（巻線）を通電したときの励磁状態と、通電を解除したときの非励磁状態とで切り替わるようになっており、励磁状態のときには、少なくとも内部に磁界を発生させてプランジャ２３を引き込むようになっている。
【００３７】
金属板２２は、公知の金属材料によって構成されており、コイル部２１の外周面に対向する一対の側壁部２２ｃ，２２ｄと、プランジャの突出側において一対の側壁部２２ｃ，２２ｄに連結された形態で配される前壁部２２ａと、コイル部２１を挟んで前壁部２２ａと対向すると共に一対の側壁部２２ｃ，２２ｄに連結された形態で配される後壁部２２ｂとを備え、全体として環状形態をなしている。この金属板２２は、コイル部２１に隣接して配され、コイル部２１で発生する熱を放散させる放熱機能を有している。また、前壁部２２ａには、孔部２２ｆが形成されており、この孔部２２ｆに対してプランジャ２３の一端側（フランジ部２３ａとは反対側）が挿し通され、コイル部２１の筒内にプランジャ２３の一端側が入り込むようになっている。
【００３８】
プランジャ２３は、金属材料等の磁性体によって軸状に構成されると共に一端側がコイル部２１内に入り込んでおり、他端側（先端側）にはフランジ部２３ａが形成されている。このフランジ部２３ａは、後述するスライド片７１と嵌合するようになっており、コイル部２１の通電動作或いは通電解除動作に応じてプランジャ２３とスライド片７１とが一体的に移動（前後にスライド）するようになっている。また、フランジ部２３ａと前壁部２２ａの間において、プランジャ２３の周囲には、コイルばねとして構成されるばね部材２４（ばね部材２４は付勢部材の一例に相当）が配されており、このばね部材２４によりフランジ部２３ａが前壁部２２ａから離される方向（プランジャ２３の他端側が突出する方向）に付勢されている。
【００３９】
回路部３０は、金属板２２の外壁面上（具体的には側壁部２２ｄ上）に配される一又は複数の絶縁層３１と、絶縁層３１内又は絶縁層３１上に配される導電部３２と、表面側に実装される電子部品３３とを備えている。絶縁層３１は、例えば側壁部２２ｄ上に複数層積層される構成で設けられており、これら絶縁層上或いは絶縁層内に、配線パターンとして構成される導電部３２が設けられている。絶縁層の材料としては、特に限定されるものではないが、エポキシ樹脂、ポリイミド樹脂などの電気絶縁性の高分子樹脂が挙げられる。絶縁層の熱伝導を向上させるために、電気絶縁性のセラミックスフィラーなどを樹脂中に添加してもよい。
【００４０】
電子部品３３は、コネクタ、抵抗、コンデンサ、スイッチ素子、発光素子、ＩＣ、その他の電子部品等によって構成されており、回路部３０に形成されたランド等を介して表面側に実装されている。なお、金属板２２に対して絶縁層３１や導電部３２を積層する構造、あるいは電子部品を実装する構造としては、公知の金属基板と同様の構造を用いることができる。
【００４１】
このように構成されるソレノイド２０は、上述の収容部において下方フレーム５２上に支持された構成でフレーム５０に固定されている。より具体的には、下方フレーム５２において金属板２２の外壁面（具体的には、側壁部２２ｄの外壁面）を直接又は他部材を介して間接的に支持するように支持壁５６が形成されており、この支持壁５６上に載置された構成でソレノイド２０が固定されている。また支持壁５６の所定位置には、この支持壁５６を上下に貫通する貫通孔５６ａが形成されており、ソレノイド２０は、電子部品３３の少なくとも一部が貫通孔５６ａ内に挿入された形態でフレーム５０に保持されている。図２等に示す構成では、電子部品３３ａが例えばコネクタとして構成されており、この電子部品３３ａ（コネクタ）は、貫通孔５６ａ内を通され且つ支持壁５６から突出した形態で配されている。そして、支持壁５６を挟んでソレノイド２０とは反対側から電子部品３３ａ（コネクタ）に対し電気配線９５が接続されるようになっている。電子部品３３ｂは他のコネクタとして構成されていてもよく、発光素子等の半導体素子などとして構成されていてもよい。
【００４２】
被駆動機構７０は、上述したソレノイド２０によって駆動されるものであり、プランジャ２３（図４等）に連結されてこのプランジャ２３と一体的に前後動するスライド片７１と、フレーム５０に回動可能に保持されると共にスライド片７１の動作に応じて回動する回動部材７２と、フレーム５０に回動部材の回動動作に応じて開口部５３ａを開閉する開閉部材７３とを備えている。回動部材７２は、左右方向の回動軸を中心として回動しうるようになっており、この回動軸の上方側に形成された左右方向の突起部７２ａがスライド片７１に形成された長孔７１ａに挿入されるようになっている。この構成では、スライド片７１のスライド動作に伴って突起部７２ａが前後に移動し、この移動に伴い、回動部材７２全体が前記回動軸を中心として回動することとなる。また、回動部材７２において回動軸を挟んで突起部７２ａとは反対側には開閉部材７３の長手方向一端側に作用する凹部７２ｂ（作用部）が形成されており、この凹部７２ｂに開閉部材７３の一端部７３ａが遊嵌されている。開閉部材７３は、一端部７３ａの前方側において左右方向に延びる回動軸を中心として回動し得るようになっており、一端部７３ａの上下動に応じて開放位置と閉塞位置とに変位するようになっている。
【００４３】
このような被駆動機構７０では、コイル部２１の励磁に伴ってプランジャ２３がコイル部２１に引き込まれた没入位置となり、これに応じてスライド片７１が後方位置に変位したときに、回動部材７２は、凹部７２ｂが上昇する第１の回動位置となる。そして、このような回動に伴い、開閉部材７３は、一端部７３ａが上昇すると共に上端部側が開口部５３ａよりも前方側に倒れた位置（開放位置）となり、このとき、開口部５３ａが開放状態となって遊技球が進入可能となる。一方、コイル部２１の励磁が解除されてプランジャ２３が突出位置（前記没入位置よりも突出する位置）となり、スライド片７１が前方位置（前記後方位置よりも前側の位置）に変位したときには、回動部材７２は、第１の回動位置のときよりも凹部７２ｂが下降する第２の回動位置となる。このような回動に伴い、開閉部材７３は、一端部７３ａが下降すると共に上端部側が起こされて開口部５３ａに隣接する位置（閉塞位置）となり、このとき、開口部５３ａが閉塞状態となって遊技球が進入不能となる。
【００４４】
（回路部の製造方法）
次に回路部３０を形成する形成方法の一例について説明する。
図７（Ａ）に示すように、ソレノイド２０を構成する金属板２２に回路部３０を形成する際には、まず、金属板２２の基となる基体２２’を公知の金属加工方法を用いて成形し、その一方で別工程において絶縁層となるプリプレグシート３１’を製造する。そして、図７（Ｂ）のように、得られたプリプレグシート３１’と、配線パターンとなる銅箔３２’とを基体２２’の上に順次積層した後、加熱プレス等により絶縁層を硬化させる。そして、図７（Ｃ）のように所定位置にエッチングレジスト１００を配置した後、図７（Ｄ）のように銅箔３２’をエッチングし、エッチングレジスト１００を公知の方法で剥離することにより後に導電部３２（図５参照）となる配線パターンを形成する（図８（Ａ））。更に、パターン間の絶縁等を図るためにソルダーレジスト３１”を印刷等により形成する（図８（Ｂ））。そして、必要に応じて図８（Ｃ）のような穴あけ加工を行った後、パターン露出部に表面処理（無電解金メッキ、水溶性フラックス処理等）などを行い、シンボルマーク等をシルク印刷する。その後、パターン露出部に各種電子部品を実装することになる。なお、図７、図８に示す方法は、あくまで一例であり、金属板２２上に絶縁層３１及び導電部３２を設け、電子部品３３を表面実装しうる構成であれば公知の他の方法を用いてもよい。以上のような形成方法により、回路部及び電子部品を備えたソレノイドを形成することができる。
【００４５】
[参考例]
次に、参考例について説明する。
参考例に係る遊技機用部品２１０は、遊技機用役物として構成されており、図１に示す遊技機と同様の遊技機において表示装置３に代えて、或いは同様の表示装置と併用して遊技盤５に配置されている。
【００４６】
図９に遊技機用部品２１０は、当該遊技機用部品２１０の外郭をなす筐体を備えており、この筐体の一部又は全部が第１部材２５１として構成されている。そして、この第１部材２５１に対して変位しうる構成で第２部材２５２（変位部材：図９〜図１１参照）が設けられている。なお、図９では、筐体の一部（第１部材２５１の一部）のみを例示しているが、筐体の形状、構成は公知の方法で様々に形成することができる。また、第２部材２５２を直線動作させるための駆動装置（リニアステッピングモータやリニアソレノイドなどのリニアアクチュエータ、或いは回転駆動力を直線変位に変換する駆動機構（ステッピングモータとラックピニオン機構を用いたリニア駆動機構等）など）については図示を省略しているが、公知の様々な直線駆動装置を用いることができる。
【００４７】
スライドレール２２０は、取付対象物（図９の例では、筐体の一部をなす第１部材２５１）に固定される固定部材２２１と、固定部材２２１に保持されると共に第２部材２５２に固定され、固定部材２２１に対して所定方向にスライドし得るように構成されるスライド部材２２２と、固定部材２２１とスライド部材２２２とを連結する連結部材２２３（部材２２３ａ，２２３ｂ，２２３ｃが一体的に結合されてなる連結部材）とを備えており、このスライドレール２２０によって第１部材２５１と第２部材２５２とを連結すると共に第２部材２５２を第１部材２５１に対して所定方向（図９の例では上下方向）に相対移動させるように案内している。
【００４８】
固定部材２２１、スライド部材２２２、連結部材２２３は、いずれも外壁部が金属板によって構成されている。例えば、スライド部材２２２は、図１２〜図１５に示すように、長手状に構成される板状部２２２ａと、この板状部２２２ａの短手方向両側から立ち上がる一対の対向壁２２２ｂ，２２２ｃとを備え、対向壁２２２ｂ，２２２ｃ及び板状部２２２ａが金属板によって一体的に構成されている。そして、図１３、図１５に示すように、一対の対向壁２２２ｂ，２２２ｃによって構成される溝によって案内される構成で連結部材２２３が連結されている。
【００４９】
そして、このように構成されるスライドレールの外壁部（具体的には、スライド部材２２２を構成する金属板）の外壁面上に回路部２３０が設けられている。この回路部２３０は、第１実施形態と同様の方法で１又は複数の絶縁層２３１が積層されており、この絶縁層２３１内又は絶縁層２３１上に配される構成で配線パターンとしての導電部２３２が設けられている。そして、回路部２３０の表面側には電子部品２３３が実装されている。具体的には、図１５に示すように、スライド部材２２２の板状部２２２ａにおいて、固定部材２２１とは反対の板面上に絶縁層２３１が配されており、回路部２３０が構成されている。実装される電子部品２３３としては、発光素子として構成される電子部品２３３ａとコネクタとして構成される電子部品２３３ｂとが設けられている。
【００５０】
また、参考例では、図１１に示すように、第２部材２５２において、スライド部材２２２の金属板の外壁面を直接又は他部材を介して間接的に支持するように支持壁２６２が設けられており、この支持壁２６２には、貫通孔２６２ａが形成されている。そして、スライド部材２２２は、電子部品２３３ａの少なくとも一部が貫通孔２６２ａ内に挿入された形態で第２部材２５２に固定されている。そして、このように貫通孔２６２ａ内に配された電子部品２３３ａ（発光素子）の前方側を覆う構成で第２部材２５２の一部をなす透明性のカバー部材２６１が設けられている。この構成では、電子部品２３３ａ（発光素子）が発光したときに、その光がカバー部材２６１内を透過して前方側に照射されるようになっている。
【００５１】
［他の実施形態]
本発明は上記記述及び図面によって説明した実施形態に限定されるものではなく、例えば次のような実施形態も本発明の技術的範囲に含まれる。
【００５２】
第１実施形態では、電子部品としてコネクタや発光素子を例示したが、その他の電子部品によって構成されていてもよい。
【００５３】
第１実施形態では、貫通孔が形成されてなる支持壁が設けられ、電子部品の少なくとも一部が貫通孔内に挿入された形態で金属板が支持壁に支持された例を示したが、貫通孔の部分が切欠部として構成されていてもよい。即ち、切欠部が形成されてなる支持壁が設けられ、電子部品の少なくとも一部が貫通孔内に挿入された形態で金属板が支持壁に支持されていてもよい。或いは、電子部品の周囲に支持壁が存在しないような構成であってもよい。
【符号の説明】
【００５６】
１…遊技機
１０…入賞装置（遊技機用部品）
２０…ソレノイド
２１…コイル部
２２…金属板
２２ａ…前壁部
２２ｂ…後壁部
２２ｃ，２２ｄ…側壁部
２３…プランジャ
２４…ばね部材（付勢部材）
３０…回路部
３１…絶縁層
３２…導電部
３３…電子部品
５０…フレーム
５６…支持壁
５６ａ…貫通孔
７０…被駆動機構
９５…電気配線
【図１】
0005885535.tif 000002
【図２】
0005885535.tif 000003
【図３】
0005885535.tif 000004
【図４】
0005885535.tif 000005
【図５】
0005885535.tif 000006
【図６】
0005885535.tif 000007
【図７】
0005885535.tif 000008
【図８】
0005885535.tif 000009
【図９】
0005885535.tif 000010
【図１０】
0005885535.tif 000011
【図１１】
0005885535.tif 000012
【図１２】
0005885535.tif 000013
【図１３】
0005885535.tif 000014
【図１４】
0005885535.tif 000015
【図１５】
0005885535.tif 000016